(57)【要約】【課題】前後方向の移動範囲が広く、且つ室内をより広々と利用することができる乗物の室内構造及び乗物用シートを提供する。【解決手段】室内床面には、天井方向に突出して乗物の進行方向に沿って前後方向に延びる突出壁部１が設けられ、突出壁部１の左側面と右側面には、前後方向に延びるスライドレール２が設けられている。そして室内には、複数の乗物用シートＳＬ、ＳＲのそれぞれが、突出壁部１に設けられたスライドレール２のそれぞれに沿って配置されており、乗物用シートのそれぞれは、自身に設けられた連結部材６にてスライドレール２に接続され、スライドレール２に沿って前後方向に往復移動可能であるとともに連結部材６のみにて片持ちで支持されている。【選択図】図１
2012171498.tif 000002
【特許請求の範囲】
【請求項１】
乗物の室内構造及び乗物用シートにおいて、
前記乗物の室内における床面には、当該床面から天井方向に突出して当該乗物の進行方向に沿って前後方向に延びる壁部である突出壁部が設けられており、
前記突出壁部において前記進行方向に向かって左側面と右側面のそれぞれには、前記前後方向に延びるスライドレールが設けられており、
前記乗物の室内には、複数の前記乗物用シートのそれぞれが、前記突出壁部に設けられた前記スライドレールのそれぞれに沿って配置されており、
前記乗物用シートのそれぞれは、自身に設けられた連結部材にて前記スライドレールに接続され、前記スライドレールに沿って前記前後方向に往復移動可能であるとともに前記連結部材のみにて片持ちで支持されている、
乗物の室内構造及び乗物用シート。
【請求項２】
請求項１に記載の乗物の室内構造及び乗物用シートであって、
前記突出壁部は、前記乗物の室内において進行方向に対して左右方向である幅方向の中央に、前記乗物の室内の前記前後方向の前端から前記乗物の室内の前記前後方向の後端まで延出されており、
前記前後方向の前端に配置された前記乗物用シートが前記乗物の室内の前方端まで、及び前記前後方向の後端に配置された前記乗物用シートが前記乗物の室内の後方端まで、移動可能となるように前記スライドレールの前後方向の長さが設定されている、
乗物の室内構造及び乗物用シート。
【請求項３】
請求項１または２に記載の乗物の室内構造及び乗物用シートであって、
前記連結部材は、前記スライドレールに対して直交する方向且つ水平方向に、前記スライドレールに接続されており、
前記乗物用シートのそれぞれは、自身に設けられた連結部材回りに回転可能となるように構成されている、
乗物の室内構造及び乗物用シート。
【発明の詳細な説明】
【技術分野】
【０００１】
本発明は、車両等の乗物の室内の構造、及び当該室内に配置される乗物用シートに関する。
【背景技術】
【０００２】
乗物の例として、従来の１ＢＯＸやミニバンと呼ばれる車両では、車両の右側に２〜３列、車両の左側に２〜３列の乗物用シートが配置されている。そして、それぞれの乗物用シートはシートクッションの四隅に支持部材を有しており、当該支持部材は、それぞれの乗物用シートに対応させて床面に設けられたスライドレールに接続されている。これにより、各乗物用シートは、スライドレールに沿って前後方向に数十センチ程度の範囲内で位置を調整可能に構成されている。
また、特許文献１に記載された従来技術では、車両の床面が凹形状となるように前後方向に溝を設け、当該溝の左右の側面にスライドレールを取り付け、乗物用シートを、この左右のスライドレールに接続し、前後方向にスライド可能としている。
【先行技術文献】
【特許文献】
【０００３】
【特許文献１】特開２００６−１２３７３１号公報
【発明の概要】
【発明が解決しようとする課題】
【０００４】
特許文献１に記載された従来技術では、車両の床面の形状が凹形状に限定され、自由な形状とすることができない。また、乗物用シートの左右にスライドレールが取り付けられた壁面があるため、足元が狭く、広々と利用することができずに圧迫感もある。また、それぞれの乗物用シートに対応させたスライドレールが設けられており、前後方向の移動範囲が狭く、室内を充分に利用することができない。
また、シートクッションの四隅に支持部材を有する従来の構造では、支持部材のせいで乗物用シートの下部の空間が狭く、充分に利用することができない。また、特許文献１と同様に、それぞれの乗物用シートに対応させたスライドレールが設けられており、前後方向の移動範囲が狭く、室内を充分に利用することができない。
【０００５】
本発明は、このような点に鑑みて創案されたものであり、前後方向の移動範囲が広く、且つ室内をより広々と利用することができる乗物の室内構造及び乗物用シートを提供することを課題とする。
【課題を解決するための手段】
【０００６】
上記課題を解決するため、本発明に係る乗物の室内構造及び乗物用シートは次の手段をとる。
まず、本発明の第１の発明は、乗物の室内構造及び乗物用シートにおいて、前記乗物の室内における床面には、当該床面から天井方向に突出して当該乗物の進行方向に沿って前後方向に延びる壁部である突出壁部が設けられており、前記突出壁部において前記進行方向に向かって左側面と右側面のそれぞれには、前記前後方向に延びるスライドレールが設けられている。
そして、前記乗物の室内には、複数の前記乗物用シートのそれぞれが、前記突出壁部に設けられた前記スライドレールのそれぞれに沿って配置されており、前記乗物用シートのそれぞれは、自身に設けられた連結部材にて前記スライドレールに接続され、前記スライドレールに沿って前記前後方向に往復移動可能であるとともに前記連結部材のみにて片持ちで支持されている。
【０００７】
この第１の発明によれば、突出壁部の左側に配置された乗物用シートは左方向が開放されており、突出壁部の右側に配置された乗物用シートは右方向が開放されている。また、各乗物用シートは連結部材のみで片持ちでスライドレールに支持されているので、乗物用シートの下部は開放されている。
このため、乗物の左右方向の中央部に前後方向に延びるように突出壁部を設ければ、前後方向の移動範囲が広く、且つ室内をより広々と利用することができる乗物の室内構造及び乗物用シートを実現することができる。
【０００８】
次に、本発明の第２の発明は、上記第１の発明に係る乗物の室内構造及び乗物用シートであって、前記突出壁部は、前記乗物の室内において進行方向に対して左右方向である幅方向の中央に、前記乗物の室内の前記前後方向の前端から前記乗物の室内の前記前後方向の後端まで延出されており、前記前後方向の前端に配置された前記乗物用シートが前記乗物の室内の前方端まで、及び前記前後方向の後端に配置された前記乗物用シートが前記乗物の室内の後方端まで、移動可能となるように前記スライドレールの前後方向の長さが設定されている。
【０００９】
この第２の発明によれば、乗物の室内を、前方端から後方端まで、広々と利用することができる。
【００１０】
次に、本発明の第３の発明は、上記第１の発明または第２の発明に係る乗物の室内構造及び乗物用シートであって、前記連結部材は、前記スライドレールに対して直交する方向且つ水平方向に、前記スライドレールに接続されており、前記乗物用シートのそれぞれは、自身に設けられた連結部材回りに回転可能となるように構成されている。
【００１１】
この第３の発明によれば、よりシンプルな構造にて乗物用シートを回転させることで、乗物用シートの前後方向の長さを短くすることができるので、乗物の室内を、更に広々と利用することができる。
【図面の簡単な説明】
【００１２】
【図１】本発明の、乗物の室内構造及び乗物用シートの一実施の形態を説明する図であり、（Ａ）は乗物の室内を進行方向に対して左側から見た図であり、（Ｂ）は乗物の室内を進行方向から見た図である。
【図２】乗物用シートＳＬを、進行方向に対して左側から見た図であり、（Ａ）は通常使用時の乗物用シートＳＬの状態を示しており、（Ｂ）は（Ａ）の状態からシートバック部５を折り畳んだ状態を示しており、（Ｃ）は（Ｂ）の状態から連結部材６回りに回転させた状態を示している。
【図３】乗物の室内を進行方向に対して左側から見た図であり、乗物用シートＳＬａ、ＳＬｂを、種々の前後方向の位置に移動させ、種々の折り畳み状態として室内を広々と利用できる例を説明する図である。
【発明を実施するための形態】
【００１３】
以下に本発明を実施するための形態を図面を用いて説明する。図１は、本発明の「乗物の室内構造及び乗物用シート」の例を示しており、図１（Ａ）は乗物の室内を進行方向に対して左側から見た図であり、図１（Ｂ）は乗物の室内を進行方向から見た図である。なおＸ軸とＹ軸とＺ軸は互いに直交しており、Ｘ軸方向は乗物の進行方向を示しており、Ｙ軸方向は進行方向に対して左方向を示しており、Ｚ軸方向は鉛直上向きを示している。
【００１４】
●［乗物の室内の構造と、室内に配置された乗物用シートの支持状態（図１）］
図１（Ａ）に示すように、本実施の形態における乗物の室内の床面には、床面から天井方向に突出して、進行方向に沿って前後方向に延びる突出壁部１が設けられている。
また、図１（Ｂ）に示すように、突出壁部１は乗物の室内の進行方向に対して左右方向の中央近傍に設けられている。以降、「前後方向」とは乗物の進行方向に向いて乗車した際の前後の方向を指し、「左右方向」とは乗物の進行方向に向いて乗車した際の左右の方向を指す。
突出壁部１の左側面と右側面のそれぞれには、前後方向に延びるスライドレール２が設けられている。
【００１５】
なお本実施の形態に示す乗物の室内構造では、乗員への圧迫感をより小さくするために、突出壁部１における床面からの高さがシートクッション部２０の高さと同等に設定されている。また、シートクッション部２０は連結部材６、７にてスライドレール２に接続されるため、床面からスライドレール２までの高さは、シートクッション部２０の高さと同等に設定されている。
また図１（Ａ）及び（Ｂ）に示すように、突出壁部１は、乗物の室内において進行方向に対して左右方向である幅方向の中央（中央近傍）に、乗物の室内の前後方向の前端から乗物の室内の前後方向の後端まで延出されている。
そしてスライドレール２は、前後方向の前端に配置された乗物用シートが乗物の室内の前方端まで移動可能となる前方端位置から、前後方向の後端に配置された乗物用シーとが乗物の室内の後方端まで移動可能となる後方端位置までの、前後方向の長さが設定されている。
なお、符号１０は車両のインスツルメントパネルを示している。
【００１６】
そして、突出壁部１の左側には単数または複数の乗物用シートＳＬが、突出壁部１の左側面のスライドレール２に沿って配置され、突出壁部１の右側には単数または複数の乗物用シートＳＲが、突出壁部１の右側面のスライドレール２に沿って配置されている。
乗物用シートＳＬ、ＳＲのそれぞれは、シートクッション部２０とシートバック部５にて構成されており、シートクッション部２０は乗員が着座するシートクッション３と、シートクッション３を支持するシートフレーム４にて構成されている。
そしてシートフレーム４は、連結部材６、７にてスライドレール２に接続されている。
連結部材６はスライドレール２に嵌合されており、スライドレール２に沿って前後方向の任意の位置にスライド移動可能であるとともに、移動先で位置を固定することが可能となるように構成されている。
連結部材７は、連結部材６に対してクッション回転軸８回りに回転可能に構成されており、シートフレーム４に固定されている。なお、クッション回転軸８は、スライドレール２に直交する方向であり、且つ水平方向である（すなわち、左右方向である）。これにより、乗物用シートＳＬ、ＳＲのそれぞれは、クッション回転軸８回りに回転可能である。
またシートバック部５は、リクライニング回転軸９回りに回転可能に構成されている。
【００１７】
このように、乗物用シートＳＬ、ＳＲのそれぞれは、スライドレール２に沿って前後方向にスライド移動可能であるとともに、連結部材６、７のみにて片持ちで支持されている。このため、乗物用シートの下部は開放されており、乗物用シートの下部を広々と利用することができる。また、突出壁部１の左側に配置された乗物用シートＳＬの左側が開放されており、突出壁部１の右側に配置された乗物用シートＳＲの右側が開放されている。このため、室内をより広々と利用することができる。
【００１８】
●［乗物用シートにおける通常使用状態と収容状態（図２）］
図２（Ａ）は乗物用シートＳＬにおける通常使用状態を示している。通常使用状態では、乗員はシートクッション部２０に腰を下ろし、シートバック部５に背中を凭せ掛けて、乗物用シートＳＬに着席することができる。
図２（Ｂ）は、図２（Ａ）の通常使用状態から、シートクッション部２０にシートバック部５が重なるように、シートバック部５をリクライニング回転軸９回りに回転させた折り畳み状態を示している。
図２（Ｃ）は、図２（Ｂ）の折り畳み状態から、リクライニング回転軸９が下方となるように、クッション回転軸８回りに乗物用シートＳＬを回転させた収容状態を示している。この状態では、乗物用シートＳＬの前後方向の長さをより短くすることができるので、更に広々と室内を利用することができる。
なお、通常使用状態、折り畳み状態、収容状態のいずれの状態であっても、乗物用シートＳＬを、前後方向にスライド移動させることができる。
【００１９】
●［種々のシートアレンジの例（図１（Ａ）、図３（Ａ）〜（Ｅ））］
以上の構成により、本実施の形態の「乗物の室内構造及び乗物用シート」を用いることで、後述するように、種々のシートアレンジが可能である。
図１（Ａ）は、標準状態を示しており、乗物用シートＳＬ、ＳＬが通常使用状態であって、乗物用シートＳＬ、ＳＬに着座した乗員が、それぞれ広々と室内を利用できる前後方向の位置に設定した状態である。
図３（Ａ）は、図１（Ａ）の標準状態から、後方の乗物用シートＳＬｂを更に後方にスライドさせた状態であり、乗物用シートＳＬｂに着座した乗員が、足元及び前方を更に広々と利用することができる状態である。
図３（Ｂ）は、乗物用シートＳＬａ、ＳＬｂの双方を収容状態にして、前端にスライドさせた状態であり、室内後方の荷物搭載スペースを最大とする状態である。
図３（Ｃ）は、図１（Ａ）の標準状態から、後方の乗物用シートＳＬｂを収容状態にして前方の乗物用シートＳＬａに近接するまで前方にスライド移動させた状態であり、乗物用シートＳＬａに乗員が着座できる状態で、室内後方の荷物搭載スペースを大きくした状態である。
図３（Ｄ）は、室内を居室として使用する際に室内空間を最大にするシートアレンジであり、前方の乗物用シートＳＬａを収容状態にして前端までスライド移動させ、後方の乗物用シートＳＬｂを通常使用状態で後端までスライド移動させた状態である。
図３（Ｅ）は、乗物用シートＳＬａ、ＳＬｂにて擬似的にベッドを形成したシートアレンジの例を示している。
【００２０】
以上、本実施の形態にて説明した乗物の室内構造及び乗物用シートは、乗物用シートを室内の前端から後端までスライドできるので、非常に広々と室内を利用することができる。
また、各乗物用シートが片持ちのみで支持されてシート下部の空間が開いているので、更に広々と室内を利用することができる。また、後方の乗物用シートＳＬｂに着座した乗員は、前方の乗物用シートＳＬａが近接していても、乗物用シートＳＬａの下方の空間に足先を入れてゆったりと座ることができる。
また、図２（Ｃ）に示す収容状態へと折り畳んで回転させることで、デッドスペースを小さくし、効率的に室内空間を確保することができる。
また、クッション回転軸８を、図２（Ｂ）に示す折り畳み状態において乗物用シートの重心近傍に設けると、回転の際の力の負担を軽減することができる。
また、図３（Ａ）または（Ｄ）に示すシートアレンジ状態では、後方の乗物用シートＳＬｂに着座した乗員が足を伸ばした状態でゆったりと座ることができる。
また、図３（Ｂ）または（Ｃ）に示すシートアレンジでは、荷物収容スペースをより広く確保することができる。また、各シートの下方が開放されているので、長尺状の荷物を容易に収容することができる。
【００２１】
本発明の乗物の室内構造及び乗物用シートは、本実施の形態で説明した外観、構成、構造等に限定されず、本発明の要旨を変更しない範囲で種々の変更、追加、削除が可能である。
本実施の形態にて説明した乗物の室内構造及び乗物用シートにおける乗物は、車両に限定されない。従って、突出壁部１は、乗物の左右方向の中央に１本のみとは限定されず、乗物の室内の横幅と、乗物用シートの横幅と、に応じて、複数本が並列に設けられていてもよい。また、乗物用シートの数も、乗物の室内の前後方向の長さと左右方向の長さに応じて、１台〜複数台が配置される。
また、図２（Ａ）に示す通常使用状態にて、シートクッション部２０の下部に配置されるとともに床面からシートクッション部２０を支持する支持部材を設けても良い（ただし、この場合は乗物用シートが片持ちのみの支持ではなくなる）。
【符号の説明】
【００２２】
１        突出壁部
２        スライドレール
３        シートクッション
４        シートフレーム
５        シートバック部
６、７    連結部材
８        クッション回転軸
９        リクライニング回転軸
１０      インスツルメントパネル
２０      シートクッション部
ＳＬ、ＳＬａ、ＳＬｂ、ＳＲ    乗物用シート
【図１】
2012171498.tif 000003
【図２】
2012171498.tif 000004
【図３】
2012171498.tif 000005